(57)【特許請求の範囲】
【請求項１】
中心イオンが希土類イオンであり、ジアステレオマー構造配位子が配位することを特徴とする、光学機能材料に用いる希土類錯体。
【請求項２】
希土類イオンがＣｅ（３価イオンのみ）、Ｐｒ、Ｎｄ、Ｐｍ、Ｓｍ、Ｅｕ、Ｔｂ、Ｄｙ、Ｈｏ、Ｅｒ、Ｔｍ、Ｙｂ（３価イオンのみ）のいずれかのイオンであることを特徴とする請求項１に記載の希土類錯体。
【請求項３】
希土類イオンがＥｕ３＋であることを特徴とする請求項１または２に記載の希土類錯体。
【請求項４】
ジアステレオマー構造配位子の１つまたは２つ以上が、
ａ）一般式（１）
【化１】
0003579744.tif 000007
（式中、Ｐｈはフェニル基を表す。Ｘは同一または異なる水素原子、重水素原子、ハロゲン原子、Ｃ１〜Ｃ２０の基、水酸基、ニトロ基、アミノ基、スルホニル基、シアノ基、シリル基、ホスホン酸基、ジアゾ基、メルカプト基を表す。）で表される配位子、
ｂ）化学式（２）〜（２０）
【化２】
0003579744.tif 000008
【化３】
0003579744.tif 000009
【化４】
0003579744.tif 000010
で表される配位子のいずれか及びその誘導体、
ｃ）不斉部位を有するメタロセン骨格を含む、ビス（シクロペンタジエニル）金属錯体及びその誘導体、
のうちの１つまたは２つ以上であることを特徴とする請求項１〜３のいずれかに記載の希土類錯体。
【請求項５】
ジアステレオマー構造配位子が、化学式（２１）
【化５】
0003579744.tif 000011
で表される配位子であることを特徴とする請求項４に記載の希土類錯体。
【請求項６】
一般式（２２）
【化６】
0003579744.tif 000012
（式中、Ｌｎｎ＋は希土類イオンを表す。Ｐｈはフェニル基を表す。Ｘは同一または異なる水素原子、重水素原子、ハロゲン原子、Ｃ１〜Ｃ２０の基、水酸基、ニトロ基、アミノ基、スルホニル基、シアノ基、シリル基、ホスホン酸基、ジアゾ基、メルカプト基を表す。Ｚは水素原子、重水素原子、ハロゲン元素原子、Ｃ１〜Ｃ２０の基のいずれかを表す。Ｒは同一または異なるＣ１〜Ｃ２０の基、水酸基、ニトロ基、アミノ基、スルホニル基、シアノ基、シリル基、ホスホン酸基、ジアゾ基、メルカプト基のいずれかを表す。）で表されることを特徴とする、請求項１〜５のいずれかに記載の希土類錯体。
【請求項７】
化学式（２３）
【化７】
0003579744.tif 000013
（式中、Ｐｈはフェニル基を表す）で表されることを特徴とする、光学機能材料に用いる希土類錯体。
【請求項８】
請求項１〜７のいずれかに記載の希土類錯体を含むことを特徴とする光学機能材料。
【請求項９】
請求項１〜７のいずれかに記載の希土類錯体を含むことを特徴とする円偏光フィルタ。
【発明の詳細な説明】
【０００１】
【発明の属する技術分野】
本発明は、円偏光性を用いた光センサ、光フィルタあるいは光多重通信等に用いられる光学機能材料に関する。
【０００２】
【従来の技術】
光通信の分野においては、単位時間に伝送できる情報量を増加させるために、様々な多重通信方法が検討されている。現在実用化されているものの一つに、波長分割多重方式がある。これは、１本の伝送路において多種の波長の光を同時に伝播させ、それぞれに別個の信号を乗せる通信方式である。この方式において同時に伝送できる情報量は、利用できる波長帯幅と波長分解能に依存する。しかし、波長帯幅資源は限られており、波長分解能の向上にも限界があるため、今後同時に伝送できる情報量を更に向上させるために、波長と併用して他のパラメータを導入することが考えられる。
【０００３】
波長と併用して用いることのできるパラメータを導入する方法として、円偏光を用いることが考えられる。円偏光には右巻きと左巻きの２種類があり、同じ波長でも右巻きの円偏光と左巻きの円偏光に別個の信号を乗せることができると考えられる。この方法は波長分割多重方式と併用して用いることができる。
【０００４】
一方、近年、光学的に有用な物質の特性自体を利用した光学機能材料が盛んに開発されている。例えば、本願発明者らは１９９５年に、有機媒体中で発光可能なネオジム等の希土類金属の一群の錯体の設計に成功した（非特許文献１、特許文献１、特許文献２、特許文献３参照）。
【０００５】
【非特許文献１】
長谷川靖哉，  「有機媒体中で光らないネオジウムをどのように光らせるか？」，  「化学と工業」，  ２０００年，  第５３巻，  第２号，  ｐｐ．１２６−１３０
【特許文献１】
国際公開第９８／４０３８８号パンフレット
【特許文献２】
特開２０００−６３６８２号公報
【特許文献３】
特開２０００−２５６２５１号公報
【０００６】
【発明が解決しようとする課題】
円偏光を取り出すために、これまでは主に偏光板が用いられてきた。上記波長分割多重方式に円偏光を用いる場合は、各波長を合波する前及び分波した後の光の経路に、その波長毎に屈折率や厚さの異なる偏光板がそれぞれ設置される。この場合、多数の偏光板が存在することによって、装置の大型化が避けられない。また、厚みなどの偏光板の製造精度による誤差も生じうる。
【０００７】
上記のような光学機能材料として、例えば右巻きまたは左巻きの円偏光を選択的に吸収または発光する物質があれば、上記装置の小型化及び分解能や効率の向上が期待できる。
【０００８】
本発明はこのような課題を解決するために成されたものであり、その目的とするところは、特定の円偏光を選択的に吸収する性質を持つ光学機能材料を提供することにある。
【０００９】
【課題を解決するための手段】
上記課題を解決するために成された本発明に係る光学機能材料に用いる希土類錯体は、中心イオンが希土類イオンであり、ジアステレオマー構造配位子が希土類イオンに配位することを特徴とする。
【００１０】
上記希土類イオンはＣｅ（３価イオン）、Ｐｒ、Ｎｄ、Ｐｍ、Ｓｍ、Ｅｕ、Ｔｂ、Ｄｙ、Ｈｏ、Ｅｒ、Ｔｍ、Ｙｂ（３価イオンのみ）のいずれかのイオンであることが好ましい。
【００１１】
上記希土類錯体は、化学式（２３）
【化８】
0003579744.tif 000002
（式中、Ｐｈはフェニル基を表す）で表される希土類錯体を用いることができる。
【００１２】
【発明の実施の形態】
希土類錯体とは、希土類元素の２価、３価又は４価のイオンを中心イオンとして、複数の各種配位子が配位した有機錯体である。このような錯体としては、希土類イオンが他の化学種に取り囲まれてホスト−ゲスト構造をとった包接化合物や、単に中心の希土類イオンに配位子が配位したのみ（希土類イオンが他の化学種に包接されていない）のものがある。本発明においてはいずれのものも用いることができる。しかし、包接化合物構造の場合、一般的に不斉部位が希土類イオンから離れているため、希土類イオンへのキラリティーの影響は少ない。また、錯体がデルタ体およびラムダ体の光学異性体混合物になる可能性が高くキラリティーの低下が考えられる。これらのことから、本発明に係る希土類錯体は、他の化学種に包接されていない錯体構造とするのが好ましい。
【００１３】
本発明に係る希土類錯体においては、上記配位子の少なくとも１つがジアステレオマー構造を持つ。ジアステレオマーとは、立体異性体のうち、鏡像異性体（エナンチオマー）を除く異性体である。ここで、本明細書において、ジアステレオマー構造を持つ配位子とは、複数の立体異性体が存在し得る構造を有する配位子を意味し、ジアステレオマー構造を持つ配位子が配位した希土類錯体とは、このような配位子が配位した希土類錯体のことを意味する。
【００１４】
ジアステレオマー構造を持つ配位子が希土類錯体に組み込まれることによって、次の２つの円偏光性が生じる。第１の円偏光性は、ジアステレオマー構造を持つ配位子自体によるものである。第２の円偏光性は、中心イオンである希土類イオンの４ｆ軌道内での遷移により吸収される光による円偏光である。このうち第２の円偏光は、一部の包接化合物においては知られていたものの、通常の希土類錯体、特にＥｕ錯体においてはこれまで知られていなかった現象であり、Ｅｕ錯体はその取り扱いの容易性から実用上も有益である。以下、主に第２の円偏光性について詳しく述べる。
【００１５】
希土類イオンの４ｆ軌道は７つあり、１つの軌道に最大２個電子が入るため、４ｆ軌道全体で最大１４個の電子が入る。入る電子の個数は希土類イオンの種類によって異なる。例えば、Ｅｕ３＋イオンの場合、４ｆ軌道全体で６個の電子が存在する。上記４ｆ軌道の準位は、通常、結晶場の存在などにより縮退しない。その準位間のエネルギー差に対応した光を照射すれば、４ｆ軌道の準位間における電子の遷移により光の吸収が生じ、尖鋭な吸収スペクトルが得られる。上記のような４ｆ軌道の準位間における電子の遷移を、以後ｆ−ｆ遷移と呼ぶ。
【００１６】
不斉配位子を持たない希土類錯体においては、ｆ−ｆ遷移に限らず、電子軌道の準位間の遷移によって吸収される光は、これまで知られている範囲では円偏光性を持たない。一方、本発明に係るジアステレオマー構造配位子を持つ希土類錯体は、電子軌道の準位間の遷移（ｆ−ｆ遷移）によって一方の円偏光を吸収する。
【００１７】
上記第２の円偏光性を持つためには、すなわちｆ−ｆ遷移が起こるためには、希土類イオンの４ｆ軌道全体で電子を少なくとも１個持ち、かつ閉殻になっていないことが必要である。また、４ｆ軌道全体で電子を７個持つ場合は、基底状態では７つの４ｆ軌道の全てに１つずつ電子が入り、励起状態では必ずある軌道に電子が２つ入り互いの電子がクーロン反発力を受ける。これにより励起エネルギーが大きくなるため、可視光領域の光のエネルギーに対応したｆ−ｆ遷移は起こらない。
【００１８】
第２の円偏光性を持つためには、具体的には、上記希土類イオンは、Ｃｅ（３価イオンのみ）、Ｐｒ、Ｎｄ、Ｐｍ、Ｓｍ、Ｅｕ、Ｔｂ、Ｄｙ、Ｈｏ、Ｅｒ、Ｔｍ、Ｙｂ（３価イオンのみ）のいずれかのイオンであればよい。なお、第１の円偏光性のみを用いればよい場合は、４ｆ軌道に電子を持たないＳｃ３＋、Ｙ３＋、Ｌａ３＋、Ｃｅ４＋、Ｌｕ３＋のイオン、４ｆ軌道全体で電子を７個持つＧａ３＋、４ｆ軌道が閉殻であるＹｂ２＋であってもよい。
【００１９】
本発明に係る光学機能材料に使用し得る錯体には、種々のものが考えられる。前段落に記したように、中心となる希土類イオンだけでも十数種類存在し、それらとジアステレオマー構造配位子及びその他の配位子との組み合わせは多数存在する。上記の希土類イオンにおける４ｆ軌道の準位間のエネルギー差が周囲の配位子の種類にも依存するため、上記希土類イオンの変化のみならず、配位子の組み合わせを変化させることによっても、様々な波長域の（第２の円偏光性による）円偏光を得ることができる。
【００２０】
ジアステレオマー構造配位子には様々なものがあるが、例えば一般式（１）
【化９】
0003579744.tif 000003
（式中、Ｐｈはフェニル基を表す。Ｘは同一または異なる水素原子、重水素原子、ハロゲン原子、Ｃ１〜Ｃ２０の基、水酸基、ニトロ基、アミノ基、スルホニル基、シアノ基、シリル基、ホスホン酸基、ジアゾ基、メルカプト基を表す。）で表した、２，２’−Ｂｉｓ（ｄｉｐｈｅｎｙｌｐｈｏｓｐｈｉｎｙｌ）−１，１’−ｂｉｎａｐｈｔｈｙｌ  （以下、ＢＩＮＡＰＯとする）及びＢＩＮＡＰＯの誘導体がある。
【００２１】
ここで、Ｃ１〜Ｃ２０の基としては：
＊  直鎖又は分枝を有するアルキル基（ＣｎＨ２ｎ＋１：ｎ＝１〜２０）、およびパーフルオロアルキル基（ＣｎＦ２ｎ＋１：ｎ＝１〜２０）、パークロロアルキル基（ＣｎＣｌ２ｎ＋１：ｎ＝１〜２０）などの直鎖又は分枝を有するパーハロゲン化アルキル基；
【００２２】
＊  直鎖又は分枝を有するアルケニル基（ビニル基、アリル基、ブテニル基）、およびパーフルオロアルケニル基（パーフルオロビニル基、パーフルオロアリル基、パーフルオロブテニル基）、パークロロアルケニル基などの直鎖又は分枝を有するパーハロゲン化アルケニル基；シクロアルキル基（ＣｎＨ２ｎ−１：ｎ＝３〜２０）、およびパーフルオロシクロアルキル基（ＣｎＦ２ｎ−１：ｎ＝３〜２０）、パークロロアルキル基（ＣｎＣｌ２ｎ−１：ｎ＝３〜２０）などの直鎖又は分枝を有するパーハロゲン化アルキル基；シクロアルケニル基（シクロペンチル基、シクロヘキシル基等）、およびパーフルオロシクロアルケニル基、パークロロアルケニル基などのパーハロゲン化アルキル基；
【００２３】
＊  フェニル基、ナフチル基、ビフェニル基等の芳香族基、およびパーフルオロフェニル基、パーフルオロナフチル基、パーフルオロビフェニル基、パークロロフェニル基、パークロロナフチル基、パークロロビフェニル基などのパーハロゲン化芳香族基；
【００２４】
＊  ピリジル基等のヘテロ芳香族基、およびパーフルオロピリジル基等のパーハロゲン化ヘテロ芳香族基；
【００２５】
＊  ベンジル基、フェネチル基等のアラルキル基、およびパーフルオロベンジル基などのパーハロゲン化アラルキル基；
【００２６】
等を挙げることができる。
【００２７】
このほかにも、例えば化学式（２）〜（２０）
【化１０】
0003579744.tif 000004
【化１１】
0003579744.tif 000005
【化１２】
0003579744.tif 000006
で表される配位子またはその誘導体がある。また、不斉部位を有するメタロセン骨格を含む、ビス（シクロペンタジエニル）金属錯体及びその誘導体も用いることができる。
【００２８】
具体的には、上記ジアステレオマー構造配位子が配位した希土類錯体として、化学式（２３）で表したＥｕ（ｈｆａ−Ｄ）３ＢＩＮＡＰＯ錯体を用いることができる。これは、希土類イオンがＥｕ３＋、ジアステレオマー構造配位子がＢＩＮＡＰＯである錯体である。
【００２９】
化学式(23)で表した錯体のEuの代わりに他の希土類元素の１つが入る錯体も使用し得る（一般式(22)）。また、BINAPOのフェニル基やビナフチル基上の水素原子の１つまたは複数を、同一または異なる、重水素原子、ハロゲン原子、C1〜C20の基、水酸基、ニトロ基、アミノ基、スルホニル基、シアノ基、シリル基、ホスホン酸基、ジアゾ基、メルカプト基などの種々の基に置換した錯体も使用し得る。さらに、化学式(23)中のCF3のうちの１つまたは２つを、同一または異なるC1〜C20の基、水酸基、ニトロ基、アミノ基、スルホニル基、シアノ基、シリル基、ホスホン酸基、ジアゾ基、メルカプト基などの種々の基に置換した錯体も使用し得る。
【００３０】
ジアステレオマー構造配位子が配位した希土類錯体を光学機能材料として用いる際は、その錯体の結晶を直接用いてもよいし、その錯体を透明ポリマーや透明ガラスなどの透明固体担体に含有させてもよい。また、その錯体を有機溶媒に溶解させて塗料とすることもできる。
【００３１】
【発明の効果】
本発明に係るジアステレオマー構造配位子が配位した希土類錯体及びそれを含む光学機能材料によれば、電子軌道の準位間の遷移に起因する、円偏光性を持つ光の吸収機能を得ることができる。上記機能によって吸収される光の波長は希土類錯体の種類によって決まるため、このような材料を用いることにより、製造精度による誤差の無い円偏光フィルタなどを作製することができる。本発明に係る材料を用いた場合、円偏光フィルタやその他の円偏光を用いる機器において、偏光板などを用いる必要が無くなり、装置の小型化に寄与する。
【００３２】
【実施例】
本発明の第１の実施例として、上記化学式（２３）で示したＥｕ（ｈｆａ−Ｄ）３ＢＩＮＡＰＯ錯体の合成方法を述べ、その性質について述べる。まず、母物質であるＢＩＮＡＰＯとＥｕ（ｈｆａ）３（Ｈ２Ｏ）２の合成方法について述べる。
【００３３】
ＢＩＮＡＰＯは、以下のようにして合成した。Ｓ体の２，２’−Ｂｉｓ（ｄｉｐｈｅｎｙｌｐｈｏｓｐｈｉｎｏ）−１，１’−ｂｉｎａｐｈｔｈｙｌ（（Ｓ）−ＢＩＮＡＰ、本実施例では３ｇ）を脱水ＴＨＦ（ＴＨＦ：テトラヒドロフラン）に溶解し、冷却しながらＨ２Ｏ２（１．８ｍｌ）を滴下した後、１２時間攪拌した。反応溶液からＴＨＦを減圧留去した後、これにアンモニア水（６ｍｌ）とメタノール（３０ｍｌ）の混合溶媒を加え、不溶物を濾過で取り除いた。その後、この溶液にＨＣｌ（１５ｍｌ）を加え、それにより生じた固体状物質を濾過した。この固体状物質を脱イオン水で数回洗浄し、更にヘキサンで洗浄後、乾燥することにより、（Ｓ）−ＢＩＮＡＰＯを得た。
【００３４】
Ｅｕ（ｈｆａ）３（Ｈ２Ｏ）２は、以下のようにして合成した。Ｅｕ（ＣＨ３ＣＯＯ）３・４Ｈ２Ｏ（酢酸ユーロピウム、５ｇ）とｈｆａ（ヘキサフルオロアセチルアセトン、７ｇ）を脱イオン水（１００ｍｌ）に溶解し、常温で３日間攪拌した。この反応溶液を濾過して得られた固体状物質に、メタノールと脱イオン水の混合溶媒を加えて再結晶化を行い、白色の結晶（本実施例では７．６４ｇ）を得た。
【００３５】
得られた母物質ＢＩＮＡＰＯ（３ｇ）とＥｕ（ｈｆａ）３（Ｈ２Ｏ）２錯体（４．４ｇ）をメタノールに溶解し、８０℃で１２時間還流させた。反応溶液からメタノールを減圧留去後、未反応のＥｕ（ｈｆａ）３（Ｈ２Ｏ）２錯体を除去するため、これにトルエンを加え不溶物を濾過で取り除いた。この溶液からトルエンを減圧留去後、ヘキサンで洗浄し、黄白色の粉末を得た。この粉末に熱メタノールを加えて再結晶化を行い、白色の結晶（本実施例では０．９５ｇ）を得た。
【００３６】
得られた結晶を１Ｈ−ＮＭＲ、１９Ｆ−ＮＭＲ、ＦＴ−ＩＲ（フーリエ変換赤外分光法）及び元素分析で同定を行った。これらの結果を以下に示すとともに、１Ｈ−ＮＭＲのチャートを図１に示す。
１Ｈ−ＮＭＲ（Ａｃｅｔｏｎｅ−ｄ６，ＴＭＳ）：δ（ｐｐｍ）＝６．２３（ｓ，３Ｈ），６．６８−６．７１（ｄ，２Ｈ），６．７８−６．８８（ｍ，８Ｈ），７．００−７．０６（ｑ，２Ｈ），７．１５−７．１８（ｄ，２Ｈ），７．２０−７．２８（ｍ，８Ｈ），７．３８−７．４３（ｑ，２Ｈ），７．６５−７．７１（ｑ，２Ｈ），７．９７−８．０７（ｑ，２Ｈ），８．３０−８．３３（ｄ，２Ｈ），８．８１−８．８４（ｄ，２Ｈ）
１９Ｆ−ＮＭＲ（Ａｃｅｔｏｎｅ−ｄ６，Ｃ６Ｆ６）：δ（ｐｐｍ）＝−７６．１０（ｓ，Ｆ）
ＦＴ−ＩＲ（ＫＢｒ）：（ｃｍ−１）  ３０６４（ｗ），１６５１（ｓ），１５５３（ｓ），１５２４（ｓ），１５０７（ｓ），１４４０（ｍ），１２５３（ｓ），１２０４（ｓ），１１４４（ｓ），１０２８（ｗ），９９６（ｗ），９４７（ｗ），８７２（ｗ），８１７（ｍ），７９２（ｍ），７２６（ｍ），７０３（ｍ），６９３（ｍ），６５８（ｍ），５８３（ｍ），５７３（ｍ），５３８（ｍ），５２３（ｍ）
元素分析：Ｃ  ４９．３６，Ｈ  ２．５１  計算値（ＥｕＣ５９Ｈ３５Ｏ８Ｈ１８Ｐ２）Ｃ  ４９．６１，Ｈ  ２．４５
以上のように１Ｈ−ＮＭＲでは全てのＨが帰属でき、さらにｈｆａとＢＩＮＡＰＯの比が３：１であった。元素分析では、測定値と計算値の値がほぼ一致した。これらの結果から、得られた結晶はＥｕ（ｈｆａ）３ＢＩＮＡＰＯ錯体であると言える。
【００３７】
上記合成方法で得られた錯体においては、上記化学式（２３）におけるＤの位置に水素Ｈが配位している。そこで、以下の方法によりＺの位置のＨを重水素Ｄに置換したＥｕ（ｈｆａ−Ｄ）３ＢＩＮＡＰＯ錯体を得た。Ｅｕ（ｈｆａ）３ＢＩＮＡＰＯ錯体に０．０４ｍｏｌ／ｌの濃度となるようにメタノール−ｄ４を加えて完全に溶解し、１２時間放置した。この溶液を真空用容器に入れ、数回脱気を行った後、メタノール−ｄ４を完全に除去した。このような方法により、重水素化された錯体Ｅｕ（ｈｆａ−Ｄ）３ＢＩＮＡＰＯを得た。
【００３８】
上記錯体Ｅｕ（ｈｆａ−Ｄ）３ＢＩＮＡＰＯの円偏光性を調べるために、円二色性スペクトルを測定した結果を図２、図３に示す。図２には参考として、母物質であるＢＩＮＡＰＯのスペクトルを、図３には参考としてジアステレオマー構造配位子を持たないＥｕ（ｈｆａ−Ｄ）３（ＴＰＰＯ）２錯体のスペクトルを併せて示した。なお、図２と図３では、横軸の測定波長領域が異なる。また、図３では試料濃度が２．０×１０２Ｍのときの左巻きの円偏光と右巻きの円偏光の吸収量の差ΔＡｂｓを縦軸にとっているが、図２では、ΔＡｂｓを試料濃度で除した値Δεを縦軸にとっている。ここで、ΔＡｂｓは円偏光の向きによる吸収量の差が無ければ０になり、左右どちらかの円偏光を多く吸収した場合は０からずれる。
【００３９】
図２から、上記錯体Ｅｕ（ｈｆａ−Ｄ）３ＢＩＮＡＰＯは広い波長領域で円偏光性を持つことが分かる。特に、波長域２００ｎｍ〜３５０ｎｍにおいて、波長が長くなるに従いΔＡｂｓが正−負−正と符号の逆転を伴う急激な変化を示した。図２の全波長領域における上記錯体Ｅｕ（ｈｆａ−Ｄ）３ＢＩＮＡＰＯのΔＡｂｓの振舞は、母物質であるＢＩＮＡＰＯのそれとは全く異なる。
【００４０】
注目すべきことは、図３の矢印で示した部分である。この部分において、明らかにΔＡｂｓの０からのずれが見られる。ジアステレオマー構造配位子を持たないＥｕ（ｈｆａ−Ｄ）３（ＴＰＰＯ）２錯体のスペクトルにはそのようなずれは見られない。このずれは波長４１０ｎｍ、４６５ｎｍ、５３５ｎｍ付近に存在するが、これらの波長はいずれも順に７Ｆ０から５Ｄ３、７Ｆ０から５Ｄ２、７Ｆ０から５Ｄ１のｆ−ｆ遷移に対応する。このことは、ｆ−ｆ遷移によって吸収された光が円偏光性を持つことを意味している。
【００４１】
図２及び図３に示した結果は、ＢＩＮＡＰＯの２種類の異性体のうち、（Ｓ）−ＢＩＮＡＰＯを配位子とした錯体Ｅｕ（ｈｆａ−Ｄ）３（（Ｓ）−ＢＩＮＡＰＯ）の測定結果を示している。ＢＩＮＡＰＯの他方の異性体である（Ｒ）−ＢＩＮＡＰＯを配位子とした錯体Ｅｕ（ｈｆａ−Ｄ）３（（Ｒ）−ＢＩＮＡＰＯ）を用いれば、図２及び図３は縦軸の正負が逆転する。すなわち、ある波長（特にｆ−ｆ遷移が生じる波長）において（Ｓ）−ＢＩＮＡＰＯを配位子とした錯体が一方の方向の円偏光性を示せば、（Ｒ）−ＢＩＮＡＰＯを配位子とした錯体はその反対の方向の円偏光性を示す。
【００４２】
上記実施例において、ジアステレオマー構造配位子が配位した希土類錯体によって、電子軌道の準位間の遷移に起因する円偏光性を持つ光の吸収機能が得られることが確認された。
【００４３】
次に、本発明に係るジアステレオマー構造配位子が配位した希土類錯体を用いた光学機能材料の実施例をいくつか述べる。
本発明に係る希土類錯体に一方の円偏光を吸収させれば、他方の円偏光を得ることができる。円偏光板などの円偏光フィルタと同じ役割を果たすことから、本発明に係る希土類錯体を円偏光フィルターへ適用することが可能である。該円偏光フィルタは上記光多重通信など、広範な用途への適用が可能であると考えられる。
【００４４】
また、本発明に係る希土類錯体を用いて、円偏光センサを作製することができる。例えば、タンパク質や生体試料等に光を照射し、透過した光を該円偏光センサで検出することにより、光学異性体を選別することが可能である。すなわち、当該タンパク質等が光学異性体のうちの所望のものである場合と所望のものでない場合では、偏光方向によって上記円偏光センサが吸収する光の強度が異なるため、この強度の違いを検出することによって、当該物質が光学異性体のうちの所望のものであるか否かを識別することができる。上記円偏光センサのΔＡｂｓの値が大きい波長領域を用いることにより、光学異性体を透過した光の偏光を直接観測するよりも容易に識別が可能になる。
【００４５】
また、本発明に係る錯体を有機溶媒に溶解させて作製した塗料を対象物に塗布しておけば、上記円偏光センサで検知することによって上記対象物を抽出することができる。
【００４６】
本発明に係る希土類錯体では、旋光性の違いのみを有する配位子をそれぞれ（別個に）使用した錯体を合成することにより、同じ組成であっても、左巻きの円偏光を強く吸収するものと右巻きの円偏光を強く吸収するものの両方が得られる。また、一の希土類錯体においても、波長に応じて左巻きの円偏光を強く吸収する場合と右巻きの円偏光を強く吸収する場合がある。そこで、一方の性質を示すものを０、他方を１と定義すれば、この錯体あるいはこの錯体を含む光学機能材料を並べて、２進数で表されたデータを記録することができる。そこへ円偏光を当てることにより、データを読み出すことができる。
【図面の簡単な説明】
【図１】本実施例において得られた、Ｅｕ（ｈｆａ）３ＢＩＮＡＰＯ錯体の１Ｈ−ＮＭＲスペクトル図。
【図２】Ｅｕ（ｈｆａ−Ｄ）３（（Ｓ）−ＢＩＮＡＰＯ）錯体及び（Ｓ）−ＢＩＮＡＰＯの円二色性スペクトル図。
【図３】Ｅｕ（ｈｆａ−Ｄ）３（（Ｓ）−ＢＩＮＡＰＯ）錯体及びＥｕ（ｈｆａ−Ｄ）３（ＴＰＰＯ）２錯体の円二色性スペクトル図。
【図１】
0003579744.tif 000014
【図２】
0003579744.tif 000015
【図３】
0003579744.tif 000016